(57)【特許請求の範囲】
【請求項１】
地中に水溜め空間を形成するために空間形成手段が設けられた地下貯水槽であって、
前記空間形成手段は、垂直方向を向いて互いに平行に且つほぼ規則的に前記水溜め空間の全体に配列された複数の柱状部材と、列状に複数並んだ前記柱状部材に接合部で接合され、ほぼ水平な少なくとも一方向を向いて互いに平行に且つほぼ規則的に前記水溜め空間の全体に配列された複数の水平方向棒状部材とを備え、全体として組合わされた骨組構造をなして構成され、
前記接合部に配置された接合部材は、対向する前記柱状部材どうしを一直線状に接合するとともに、対向する前記水平方向棒状部材どうしを水平方向に一直線状に接合し、且つ前記柱状部材と前記水平方向棒状部材とを接合し、
前記水溜め空間の外周部における前記柱状部材および前記水平方向棒状部材の各端部には、前記水溜め空間の底部，側部および天井部にそれぞれ配置された外板部材が取付けられており、
この外板部材の全体には複数の凹部がほぼ規則的に並んで配列され、前記柱状部材および前記水平方向棒状部材の前記各端部が、前記凹部に係合して支持されていることを特徴とする地下貯水槽。
【請求項２】
前記複数の水平方向棒状部材は、各中心軸線が互いにほぼ直角な、複数の平行な第１の水平方向棒状部材と複数の平行な第２の水平方向棒状部材とを含み、
前記柱状部材，前記第１の水平方向棒状部材および前記第２の水平方向棒状部材は、互いにほぼ直角な３方向を向いて前記接合部で接合されていることを特徴とする請求項１に記載の地下貯水槽。
【請求項３】
前記複数の水平方向棒状部材は、一方の前記水平方向棒状部材に対して水平面内で所定角度斜めの少なくとも一方向を向く複数の平行な第３の水平方向棒状部材をさらに含み、
この第３の水平方向棒状部材は前記接合部で前記柱状部材に接合されていることを特徴とする請求項２に記載の地下貯水槽。
【請求項４】
前記柱状部材および前記水平方向棒状部材は、パイプにより構成され、このパイプの周面には水を自在に通過させるための貫通孔が穿設されていることを特徴とする請求項１ないし３のいずれかの項に記載の地下貯水槽。
【請求項５】
前記柱状部材および前記水平方向棒状部材は、所定の断面形状を有する形鋼により構成されていることを特徴とする請求項１ないし３のいずれかの項に記載の地下貯水槽。
【請求項６】
前記外板部材には、その全体に渡って多数の貫通孔が穿設されていることを特徴とする請求項１ないし５のいずれかの項に記載の地下貯水槽。
【発明の詳細な説明】
【０００１】
【発明の属する技術分野】
本発明は、地中の水溜め空間に雨水を貯留したり、雨水を一旦溜めてゆっくりと地中に浸透させたりまたは河川等に放流するような地下貯水槽に関する。
【０００２】
【従来の技術】
従来から、地中の水溜め空間に多数の充填部材を水平方向に並べ且つ垂直方向に段積みして充填した地下貯水槽が知られている。この地下貯水槽に充填される充填部材に関しては、従来から各種技術が提案されている。
地下貯水槽は、都市の公園，広場，歩道等の地下に埋設され、主として雨水を貯留するのに使用される。大雨の時などに、雨水を地下貯水槽で一旦貯留すれば、一度に河川に流れ込む水量が減少するので、河川の水位が急激に上昇することを抑制することができる。また、地下貯水槽に貯留した雨水は、公園緑地などへの灌水，グランドなどへの散水，消防用水，非常時の生活用水などに使用することも可能である。
【０００３】
【発明が解決しようとする課題】
充填部材が充填された地下貯水槽において、その天井部には下向き（垂直方向）の土圧（土砂の圧力）がかかり、周囲には横向き（水平方向）の土圧がかかる。
これら土圧の大きさは、地下貯水槽の形状や構造，地盤など施工現場の状況によって異なる場合が多い。また、水平土圧は、部材が設置される深さ毎に変わり、充填部材に要求される水平強度もそれに伴って変化する。
これに対して、充填部材は所定形状の成形品なので、垂直方向の強度と水平方向の強度は、充填部材ごとにほぼ一定の値になってしまう。したがって、充填部材における垂直方向の強度と水平方向の強度を、施工現場の状況に応じて任意に設定することは困難であった。このため、必要とされる強度に対して充填部材の強度が不足したり、逆に過剰となることがあった。
また、地下貯水槽内に充填すべき充填部材の数が多いので、その設置作業に時間と手間がかかっていた。
【０００４】
本発明は、このような課題を解決するためになされたもので、地中に水溜め空間を形成するために地下貯水槽に設けられた空間形成手段における垂直方向の強度と水平方向の強度を、施工現場の状況に応じて任意に設定可能な地下貯水槽を提供することを目的とする。
【０００５】
【課題を解決するための手段】
上述の目的を達成するため、本発明にかかる地下貯水槽は、地中に水溜め空間を形成するために空間形成手段が設けられた地下貯水槽であって、前記空間形成手段は、垂直方向を向いて互いに平行に且つほぼ規則的に前記水溜め空間の全体に配列された複数の柱状部材と、列状に複数並んだ前記柱状部材に接合部で接合され、ほぼ水平な少なくとも一方向を向いて互いに平行に且つほぼ規則的に前記水溜め空間の全体に配列された複数の水平方向棒状部材とを備え、全体として組合わされた骨組構造をなして構成され、前記接合部に配置された接合部材は、対向する前記柱状部材どうしを一直線状に接合するとともに、対向する前記水平方向棒状部材どうしを水平方向に一直線状に接合し、且つ前記柱状部材と前記水平方向棒状部材とを接合し、前記水溜め空間の外周部における前記柱状部材および前記水平方向棒状部材の各端部には、前記水溜め空間の底部，側部および天井部にそれぞれ配置された外板部材が取付けられており、この外板部材の全体には複数の凹部がほぼ規則的に並んで配列され、前記柱状部材および前記水平方向棒状部材の前記各端部が、前記凹部に係合して支持されている。
前記複数の水平方向棒状部材は、各中心軸線が互いにほぼ直角な、複数の平行な第１の水平方向棒状部材と複数の平行な第２の水平方向棒状部材とを含み、前記柱状部材，前記第１の水平方向棒状部材および前記第２の水平方向棒状部材は、互いにほぼ直角な３方向を向いて前記接合部で接合されているのが好ましい。
前記複数の水平方向棒状部材は、一方の前記水平方向棒状部材に対して水平面内で所定角度斜めの少なくとも一方向を向く複数の平行な第３の水平方向棒状部材をさらに含み、この第３の水平方向棒状部材は前記接合部で前記柱状部材に接合されているのが好ましい。
好ましくは、前記柱状部材および前記水平方向棒状部材は、パイプにより構成され、このパイプの周面には水を自在に通過させるための貫通孔が穿設されている。
なお、前記柱状部材および前記水平方向棒状部材は、所定の断面形状を有する形鋼により構成されている場合であってもよい。
また、前記外板部材には、その全体に渡って多数の貫通孔が穿設されているのが好ましい。
【０００６】
【発明の実施の形態】
以下、本発明にかかる実施の形態の一例を、図１ないし図１３を参照して説明する。
（第１の実施形態）
図１ないし図８は第１の実施形態を示す図である。図１は地下貯水槽の縦断面図、図２は前記地下貯水槽の空間形成手段の一部を示す斜視図、図３は前記空間形成手段の一部を示す斜視図、図４（Ａ）は前記空間形成手段の接合部材を示す斜視図、図４（Ｂ）は図３の接合部を示す断面図、図４（Ｃ）は図４（Ｂ）に対する変形例を示す断面図である。
【０００７】
図１，図２に示すように、本発明の地下貯水槽１では、地面２を掘り下げて空間形成手段４を設けることにより、地中に水溜め空間３を形成している。なお、説明の便宜上、地面２と垂直な方向をＹ方向とし、Ｙ方向に直交し且つ互いに直交するほぼ水平方向をＸ方向，Ｚ方向とする。
水溜め空間３の底部５，側部６および天井部７には、外板部材８が配置されている。底部５および側部６に配置された外板部材８の周囲は、遮水性シート９により被覆されている。
外板部材８は、所定形状（ここでは、矩形状）に分割されて並んで敷き詰められている。外板部材８は、水溜め空間３とその周囲の土砂とを仕切り、土圧を受けるための仕切板としての機能を有している。外板部材８には、その全体に渡って多数の貫通孔１２が穿設されている。
遮水性シート９の材質としては、エチレン−プロピレン−ゴム（ＥＰＤＭ）などの耐老化性，耐酸化性，耐水性に優れたゴムが好ましいが、ポリエチレン，ポリ塩化ビニル等の合成樹脂であってもよい。
遮水性シート９は、水溜め空間３の周囲を被覆するように所定の形状に予め形成されている。遮水性シート９の内側と外側には、通水性を有する不織布などにより形成された保護シート１０，１１がそれぞれ設けられている。天井部７には、外板部材８のみが設けられており、遮水性シート９，保護シート１０，１１は設けられていない。
【０００８】
水溜め空間３の底部５は、砕石の上に砂を敷き、砂の層の上に合成樹脂製の板材１３などを敷き詰めることにより、凹凸のない平滑な面になっている。板材１３の上に、外側の保護シート１１，遮水性シート９，内側の保護シート１０を介して外板部材８が敷き詰められ、外板部材８上に空間形成手段４が設置されている。
空間形成手段４は、合成樹脂製の骨格構造体をなし、この骨格構造体を構成する部材の間が水溜め用の空隙になっており、また、部材自体の内部も水溜め用の空隙になっている。これら部材の内部と外部の空隙が互いに連通して、全体として大きな空隙部１４が形成されている。
空間形成手段４は、ポリプロピレン，ポリエチレン，アクリロニトリル−ブタジエン−スチレン共重合体（ＡＢＳ），ポリ塩化ビニル，繊維強化プラスチック（ＦＲＰ）などの硬質の合成樹脂を材料として、各構成部材が射出成形，押出し成形などによりそれぞれ一体的に成形されている。
【０００９】
地下貯水槽１の側部６の上部には、流入用パイプ１６が設けられている。この流入用パイプ１６は、雨水など流入水１５を地下貯水槽１内に流入させるためのパイプで、空隙部１４に連通している。
側部６の下部には、流出用パイプ１８が設けられている。この流出用パイプ１８は、地下貯水槽１に貯留されている雨水などを流出水１７として流出させるために、空隙部１４に連通している。なお、流入用パイプ１６および流出用パイプ１８は、天井部７および底部５にそれぞれ設けられた場合であってもよい。
この地下貯水槽１を用いて、たとえば、建物の屋根で集められた雨水を、流入用パイプ１６から水溜め空間３に導入して貯水し、流出用パイプ１８から流出させることができる。流出水１７は、河川等に放流されるか、または公園緑地への灌水などに使用される。
図１に示す地下貯水槽１では、天井部７は、遮水性シート９で被覆されておらず、雨水が通過できる非密閉構造になっている。したがって、地表に降った雨水の一部は、地中を浸透して、天井部７の外板部材８の貫通孔１２を通って水溜め空間３に流入する。
なお、地下貯水槽１の底部５を、雨水が通過可能な非密閉構造にすれば、地下貯水槽１に雨水を一旦溜めた後、底部５からゆっくりと地中に浸透させることができる。または、地下貯水槽１の天井部７にも、遮水性シート９，保護シート１０，１１を設けることにより、空間形成手段４の全体を囲って密閉構造にしてもよい。
【００１０】
次に、空間形成手段４について説明する。
図２ないし図４に示すように、空間形成手段４は、複数の柱状部材３０と複数の水平方向棒状部材３１，３２とを備え、全体として組合わされた骨組構造をなしている。
複数の棒状部材３０は、垂直方向（Ｙ方向）を向いて互いに平行に且つほぼ規則的に、水溜め空間３の全体に配列されている。複数の水平方向棒状部材は、各中心軸線が互いにほぼ直角な、複数の平行な第１の水平方向棒状部材３１と複数の平行な第２の水平方向棒状部材３２とを含んでいる。
第１の水平方向棒状部材３１は、列状に複数並んだ柱状部材３０に接合部３３で接合され、ほぼ水平なＸ方向を向いて互いに平行に且つほぼ規則的に、水溜め空間３の全体に配列されている。
これと同様に、第２の水平方向棒状部材３２も、列状に複数並んだ柱状部材３０に接合部３３で接合され、ほぼ水平なＺ方向を向いて互いに平行に且つほぼ規則的に、水溜め空間３の全体に配列されている。
こうして、棒状部材３０，第１の水平方向棒状部材３１および第２の水平方向棒状部材３２は、互いにほぼ直角な３方向（Ｙ方向，Ｘ方向，Ｚ方向）をそれぞれ向いて接合部３３で接合されている。
この骨組構造は、後述する変形例および第２，第３の実施形態においても、同一の（または、実質的に同じ）構成である。
なお、第１，第２の水平方向棒状部材３１，３２のうち一方の水平方向棒状部材どうしを、十分な強度を有する連結部材（図示せず）により連結し、他方の水平方向棒状部材を省略した場合であってもよい。
【００１１】
接合部３３には接合部材３４が配置されている。接合部材３４は、対向する柱状部材３０どうしを一直線状に接合するとともに、対向する第１の水平方向棒状部材３１どうしを一直線状に接合し、また、対向する第２の水平方向棒状部材３２どうしを一直線状に接合している。さらに、接合部材３４は、柱状部材３０と第１の水平方向棒状部材３１と第２の水平方向棒状部材３２とを、接合部３３で接合している。
水溜め空間３の外周部（底部５，側部６，天井部７）における柱状部材３０および第１，第２の水平方向棒状部材３１，３２の各端部には、水溜め空間３の底部５，側部６および天井部７にそれぞれ配置された外板部材８が取付けられている。
外板部材８の全体には、複数の凹部３５がほぼ規則的に並んで配列されている。柱状部材３０，第１，第２の水平方向棒状部材３１，３２の各端部が、凹部３５に係合して支持されている。これにより、柱状部材３０，第１，第２の水平方向棒状部材３１，３２は、動かないように所定位置に位置決め保持される。
柱状部材３０および第１，第２の水平方向棒状部材３１，３２は、断面円形のパイプ４０により構成され、パイプ４０の周面には水を自在に通過させるための複数の貫通孔４１が穿設されている。
これにより、パイプ４０の内部空間にも雨水を貯留することができ、地下貯水槽１に貯留可能な水量を多くすることができる。なお、貫通孔４１を形成しない場合であってもよい。
【００１２】
図４（Ａ）に示すように、接合部材３４は、互いにほぼ直角な３方向を向いた三つのソケット４２が互いに固定されて、全体が一体的に形成されている。パイプ４０は、ソケット４２に嵌合し、固定用ピン４３によりソケット４２に係止されている。なお、三つのソケット４２は、固定部材（図示せず）等を用いて互いに固定する場合であってもよい。
パイプ４０は、図４（Ｂ）に示すようにソケット４２内を挿通する場合が多いが、図４（Ｃ）に示すように、ソケット４２内でパイプ４０の端部４４を突き合わせ、パイプ４０どうしを連結する場合であってもよい。この場合には、端部４４の近傍で、固定用ピン４３によりパイプ４０がソケット４２に係止されている。
図４（Ｂ），（Ｃ）では、ソケット４２とパイプ４０に予め孔を穿設し、この孔に固定用ピン４３を挿入して係止するようになっている。こうすることにより、接合部材３４にパイプ４０をワンタッチで容易に取付けることができ、空間形成手段４の組立て作業が容易になる。
図２ないし図４では、柱状部材３０と第１の水平方向棒状部材３１と第２の水平方向棒状部材３２は、各中心軸線が若干くい違った状態になっているが、互いにほぼ直角な３方向を向いて接合部３３で接合されている。
【００１３】
図５は空間形成手段の変形例を示す斜視図、図６（Ａ）は図５の接合部材３４ａを示す斜視図、図６（Ｂ）は図５の接合部３３を示す断面図、図６（Ｃ）は図６（Ｂ）に対する変形例を示す断面図である。
図５に示す空間形成手段４ａの接合部３３では、別の構成の接合部材３４ａ（図６（Ａ））を使用している。この接合部材３４ａでは、柱状部材３０，第１の水平方向棒状部材３１および第２の水平方向棒状部材３２は、その各中心軸線が一点で交差することにより、互いにほぼ直角な３方向を向いて接合部３３で接合されている。
接合部材３４ａでは、縦方向（Ｙ方向）にパイプ状のソケット４２が配置され、このソケット４２に対して横方向（水平方向）に十文字状にソケット４２ａが一体的に形成されている。
柱状部材３０のパイプ４０は垂直方向のソケット４２に差し込まれ、第１，第２の水平方向棒状部材３１，３２のパイプ４０は、水平方向のソケット４２ａに差し込まれている。
この場合、図６（Ｂ）に示すように、固定用ピン４３を使用してパイプ４０をソケット４２ａに係止させる場合や、図６（Ｃ）に示すように、パイプ４０の先端部に係止部４５を折曲形成し、この係止部４５を、ソケット４２ａの内方に形成された被係止部４６に係合させるようにしてもよい。
図６（Ｃ）に示す構成によれば、固定用ピン４３を取付ける手間がかからないので組立て作業がさらに簡略化され、且つ部品点数を少なくすることができる。
【００１４】
図７は、空間形成手段の他の変形例を示す斜視図である。
図７に示す空間形成手段４a1の接合部３３では、接合部材を使用していない。この場合、柱状部材３０を構成するパイプ４０に、第１，第２の水平方向棒状部材３１，３２をそれぞれ構成するパイプ４０を、接合部３３で一体的に固定してユニット化している。
空間形成手段４a1の場合も、柱状部材３０，第１，第２の水平方向棒状部材３１，３２は、互いにほぼ直角な３方向を向いて接合部３３で接合されている。
【００１５】
図８（Ａ）は、本発明の柱状部材および水平方向棒状部材におけるパイプどうしの接合部を示す断面図、図８（Ｂ）は図８（Ａ）に対する変形例を示す断面図である。
第１の実施形態，および後述する第２，第３の実施形態において、柱状部材３０および水平方向棒状部材におけるパイプ４０どうしは、図８に示すようにして接合される。
たとえば、図８（Ａ）に示すように、両方のパイプ４０どうしを嵌合させて位置決めするとともに、固定用ピン４３により両方のパイプ４０を連結することができる。
なお、図８（Ｂ）に示すように、一方のパイプ４０の端部に形成された係止部４５を、他方のパイプ４０の内方に形成された被係止部４７に係合させるようにしてもよい。
【００１６】
（第２の実施形態）
図９ないし図１１は第２の実施形態を示す図で、図９は空間形成手段４ｂの一部を示す斜視図、図１０は空間形成手段４ｂの一部を示す平面図、図１１はその変形例にかかる空間形成手段４ｃを示す斜視図である。
図９ないし図１１に示す空間形成手段４ｂ，４ｃは、第１の実施形態の空間形成手段と同様に、柱状部材３０と、第１，第２の水平方向棒状部材３１，３２とを有している。
さらに、空間形成手段４ｂ，４ｃの複数の水平方向棒状部材は、一方の水平方向棒状部材（すなわち、第１の水平方向棒状部材３１または第２の水平方向棒状部材３２）に対して、水平面内で所定角度（たとえば、４５度）斜めの少なくとも一方向を向く複数の平行な第３の水平方向棒状部材５０をさらに含んでいる。そして、第３の水平方向棒状部材５０は、接合部３３で柱状部材３０に接合されている。
【００１７】
図９，図１０に示す空間形成手段４ｂの場合には、複数の第３の水平方向棒状部材５０が、第１の水平方向棒状部材３１に対して、水平面内で所定角度θ（たとえば、４５度）斜めの方向を向いて、互いに平行に配置されている。
接合部材３４ｂは、Ｘ，Ｙ，Ｚ方向をそれぞれ向く三つのソケット４２と、二つのソケット４２に一体的に固定されて、第３の水平方向棒状部材５０の軸線方向を向く一つのソケット４２とを有している。接合部材３４ｂは、全体が一体的に形成されている。
したがって、第３の水平方向棒状部材５０が接合される接合部３３では、接合部材３４ｂが使用され、柱状部材３０，第１，第２の水平方向棒状部材３１，３２が接合される接合部３３では、第１の実施形態と同じ接合部材３４が使用される。なお、第３の水平方向棒状部材５０では、第１の実施形態と同様なパイプ４０が使用されている。
【００１８】
図９，図１０に示す空間形成手段４ｂの場合、第３の水平方向棒状部材５０が、水平面内で斜め（たとえば、角度θ＝４５度）に配置されている。したがって、外板部材８を、水溜め空間３の側部６で平面視で斜めに配置して、第３の水平方向棒状部材５０の端部５１に当接させることができる。外板部材８は、第３の水平方向棒状部材５０に対してほぼ直角に配置するのが好ましい。
その結果、外板部材８は、複数配列された第３の水平方向棒状部材５０により支持されるので、空間形成手段４ｂは土圧に対して十分な強度を有する。
なお、図１１に示す空間形成手段４ｃのように、第３の水平方向棒状部材５０が２方向を向くように接合部材３４ｃで接合してもよい。この空間形成手段４ｃでは、接合部材３４ｃの八つのソケット４２ａが水平方向に同一角度離れて分岐し、合計で四つの水平方向を向く第１ないし第３の水平方向棒状部材３１，３２，５０が設けられている。そして、全ての水平方向棒状部材３１，３２，５０が、柱状部材３０に接合するとともに、一点で交差するようにしている。
第２の実施形態の空間形成手段４ｂ，４ｃによれば、地下貯水槽１の平面視の形状を、矩形以外の六角形，八角形など多角形または異形状にすることができる。その結果、地下貯水槽１を、その敷地の形状に対応して任意の形状に構成することが可能になる。
【００１９】
（第３の実施形態）
図１２，図１３は第３の実施形態を示す図で、図１２は空間形成手段４ｄの一部を示す斜視図、図１３はその変形例にかかる空間形成手段４ｅの一部を示す斜視図である。
図１２に示す空間形成手段４ｄでは、柱状部材３０，第１，第２の水平方向棒状部材３１，３２は、断面矩形のパイプ６０により構成されている。なお、第１，第２の実施形態と同様に、パイプ６０の周面には、水を自在に通過させるための複数の貫通孔を穿設するのが好ましい。
接合部材３４ｄは、矩形のパイプ６０に対応する形状を有して全体が一体的に形成されて、接合部３３に配置されている。したがって、接合部材３４ｄは、対向する柱状部材３０どうしを一直線状に接合するとともに、対向する水平方向棒状部材どうしを一直線状に接合し、且つ柱状部材３０と水平方向棒状部材３１，３２とを接合することができる。
図１３に示す空間形成手段４ｅにおいて、柱状部材３０および水平方向棒状部材３１，３２は、溝形（断面Ｕ字状）の形鋼６１により構成されている。柱状部材３０は一方側が開放し、水平方向棒状部材３１，３２は下方側が開放しているので、空間形成手段４ｅの内部に土砂が溜まらないので好ましい。なお、形鋼６１は、溝形のほか、山形（断面Ｌ字状），Ｈ形などであってもよい。
【００２０】
前記第１ないし第３の実施形態の空間形成手段４，４ａ，４a1，４ｂ〜４ｅにおける複数の柱状部材３０は、垂直方向を向いて互いに平行に且つほぼ規則的に水溜め空間３の全体に配列され、また、複数の水平方向棒状部材は、列状に複数並んだ柱状部材３０に接合部３３で接合され、ほぼ水平な方向を向いて互いに平行に且つほぼ規則的に水溜め空間３の全体に配列されている。空間形成手段は、全体として組合わされた骨組構造をなしているので、土圧に対して十分な強度を設定することができる。
空間形成手段４，４ａ，４a1，４ｂ〜４ｅにおける各部材の接合部では、引っ張り力は小さくて主として圧縮力が作用するので、接合部は圧縮力に耐え得る十分な強度を有している。
水溜め空間３を形成するための空間形成手段４，４ａ，４a1，４ｂ〜４ｅにおける垂直方向の強度に関しては、柱状部材３０の材質，形状，構造，厚み，部材間のピッチなどを任意に設定することができる。これと同様に、水平方向の強度に関しても、第１ないし第３の水平方向棒状部材３１，３２，５０の各材質，形状，構造，厚み，部材間のピッチなどを任意に設定することができる。
その結果、空間形成手段４，４ａ，４a1，４ｂ〜４ｅの垂直方向の強度と水平方向の強度を、地下貯水槽１の形状や構造，地盤など施工現場の状況に応じて、あるいは、充填部材の設置位置毎に充填部材の強度を、個別に且つ任意に設定することができる。
一般的に、水平方向より垂直方向の方が大きな強度を要求されるので、たとえば、柱状部材の径を水平方向棒状部材より大きくするのが好ましい。
【００２１】
本発明の地下貯水槽１では、柱状部材と水平方向棒状部材を接合部で接合して順次組み込めばよいので、従来の充填部材と比べて組み立て作業が容易であり、また、大きな空隙率を得ることができる。
このように、地下貯水槽１は、施工が簡単で工期も短くその費用も安価で、耐震性にも優れており、さらに、地下貯水槽１の上部は、土を埋め戻すのでそのまま公園等として有効利用することができる。
柱状部材３０と第１の水平方向棒状部材３１と第２の水平方向棒状部材３２が、互いにほぼ直角な３方向を向いているので、三つの部材３０，３１，３２に囲まれたほぼ矩形の開口部は比較的大きい。
したがって、水溜め空間３の外周部に配置される流入用パイプ１６と流出用パイプ１８を、その径を大きくして直接前記開口部から水溜め空間３の内方に挿入することができる。その結果、地下貯水槽１における雨水の流入部および流出部の近傍に桝などを別途設ける必要がなく、構造が簡略化される。
水溜め空間３内では、前記開口部が直線状に連通しているので、水溜め空間３内を水が流れやすく、また、水溜め空間３内の点検や土砂の除去などメンテナンス作業を容易に行うことができる。
【００２２】
柱状部材および水平方向棒状部材用のパイプや形鋼などには、市販品を使用できるので、空間形成手段の製造コストを安価にすることができる。
なお、前記各実施形態では、柱状部材３０は、平面視で格子状に配列された場合を示したが、平面視で千鳥状などほぼ規則的に配列された場合であってもよい。
以上、本発明の実施形態を説明したが、本発明は、上述の実施形態に限定されるものではなく、本発明の要旨の範囲で種々の変形，付加等が可能である。
なお、各図中同一符号は同一または相当部分を示す。
【００２３】
【発明の効果】
本発明は、地中に水溜め空間を形成するための空間形成手段を構成する柱状部材と水平方向棒状部材の各端部が、外板部材の凹部に係合して支持されるようにしたので、柱状部材と水平方向棒状部材を、動かないように所定位置に位置決め保持することができ、また、空間形成手段は、全体として組合わされた骨組構造をなしており、接合部に配置された接合部材が、対向する柱状部材どうしを一直線状に接合するとともに、対向する水平方向棒状部材どうしを水平方向に一直線状に接合し、且つ柱状部材と水平方向棒状部材とを接合しているので、土圧に対して十分な強度を設定することができる。
【図面の簡単な説明】
【図１】  図１ないし図８は本発明の第１の実施形態を示す図で、図１は地下貯水槽の縦断面図である。
【図２】  前記地下貯水槽の空間形成手段の一部を示す斜視図である。
【図３】  前記空間形成手段の一部を示す斜視図である。
【図４】  図４（Ａ）は前記空間形成手段の接合部材を示す斜視図、図４（Ｂ）は図３の接合部を示す断面図、図４（Ｃ）は図４（Ｂ）に対する変形例を示す断面図である。
【図５】  空間形成手段の変形例を示す斜視図である。
【図６】  図６（Ａ）は図５の接合部材を示す斜視図、図６（Ｂ）は図５の接合部を示す断面図、図６（Ｃ）は図６（Ｂ）に対する変形例を示す断面図である。
【図７】  空間形成手段の他の変形例を示す斜視図である。
【図８】  図８（Ａ）は、パイプどうしの接合部を示す断面図、図８（Ｂ）は図８（Ａ）に対する変形例を示す断面図である。
【図９】  図９ないし図１１は第２の実施形態を示す図で、図９は空間形成手段の一部を示す斜視図である。
【図１０】  前記空間形成手段の一部を示す平面図である。
【図１１】  空間形成手段の変形例を示す斜視図である。
【図１２】  図１２，図１３は第３の実施形態を示す図で、図１２は空間形成手段の一部を示す斜視図である。
【図１３】  空間形成手段の変形例を示す斜視図である。
【符号の説明】
１      地下貯水槽
３      水溜め空間
４，４ａ，４a1，４ｂ〜４ｅ    空間形成手段
５      底部
６      側部
７      天井部
８      外板部材
１２    外板部材の貫通孔
３０    柱状部材
３１    第１の水平方向棒状部材（水平方向棒状部材）
３２    第２の水平方向棒状部材（水平方向棒状部材）
３３    接合部
３４，３４ａ〜３４ｄ    接合部材
３５    凹部
４０    パイプ
４１    貫通孔
５０    第３の水平方向棒状部材（水平方向棒状部材）
６０    パイプ
６１    形鋼
θ      所定角度
【図１】
0003999990.tif 000002
【図２】
0003999990.tif 000003
【図３】
0003999990.tif 000004
【図４】
0003999990.tif 000005
【図５】
0003999990.tif 000006
【図６】
0003999990.tif 000007
【図７】
0003999990.tif 000008
【図８】
0003999990.tif 000009
【図９】
0003999990.tif 000010
【図１０】
0003999990.tif 000011
【図１１】
0003999990.tif 000012
【図１２】
0003999990.tif 000013
【図１３】
0003999990.tif 000014